(57)【要約】【課題】コネクタを取り付ける向きに拘らず該コネクタを保持することができ、製造コストを低減可能なコネクタ保持治具を提供すること。【解決手段】コネクタ保持治具１は、台座部、支柱部およびコネクタ収容部４と、を有する。コネクタ収容部４は、コネクタ６０を右向きに置いたときに占める空間形状ＳＰ３と、左向きに置いたときに占める空間形状ＳＰ４とを、どちらの向きでもほぼ一致する空間形状ＳＰ１を合わせるようにして重畳させた左右対称な合成空間形状であるコネクタ収容空間４２を有する収容部本体４１と、コネクタ収容空間４２内にコネクタ６０を収容したときに、コネクタ収容空間４２内に生じる空き空間ＳＰ２を埋める着脱可能な埋込ピース４５と、を有する。【選択図】図２
2017147193.tif 000002
【特許請求の範囲】
【請求項１】
コネクタを右向きに置いたときに占める空間形状と、左向きに置いたときに占める空間形状とを、どちらの向きでもほぼ一致する空間形状を合わせるようにして重畳させた左右対称な合成空間形状であるコネクタ収容空間を有する収容部本体と、
前記コネクタ収容空間内に前記コネクタを収容したときに、前記コネクタ収容空間内に生じる空き空間を埋める着脱可能な埋込ピースと、を有することを特徴とするコネクタ保持治具。
【発明の詳細な説明】
【技術分野】
【０００１】
本発明は、ワイヤハーネスの製造時等に用いるコネクタ保持治具に関する。
【背景技術】
【０００２】
一般に、ワイヤハーネスを製造するには、図板と呼称される作業台が用いられる。図板は、電線が所定の形状に布線されるとともに、電線の布線経路の各要所にコネクタ等、ワイヤハーネスの各種構成要素の位置や向き等が設定されるようになっている。
【０００３】
作業者は、図板上で、布線に沿って電線を配線し、かつ、各要所で電線をコネクタに接続するなどの作業を行ってワイヤハーネスを完成させる。図板には、ワイヤハーネスの構成要素に対応する位置に当該構成要素を保持する保持治具が用いられる。例えば、図板のコネクタの接続位置には、電線に接続するコネクタを保持するコネクタ保持治具が配置されている。
【０００４】
この種のコネクタ保持治具として、コネクタを嵌め込む窪みを有する枠治具と呼ばれるものが従来から知られていた（例えば特許文献１、段落０００４、図５（ｂ）等）。
【先行技術文献】
【特許文献】
【０００５】
【特許文献１】特開２００１−３５２８０号公報
【発明の概要】
【発明が解決しようとする課題】
【０００６】
ところで、ワイヤハーネスの製造に際しては、ワイヤハーネスの捻れが最小になるようにコネクタを取り付ける必要があり、捻じれ低減を重視した場合には、同一のコネクタであっても、図板上におけるコネクタの向きが各箇所で反対の向きで設定されることもある。
【０００７】
図６は、枠治具で実現される従来のコネクタ保持治具の使用例を示している。特に、図６は、コネクタ８１の、相手コネクタへ嵌合した際の抜け止めを果たす張出部の外面である、いわゆるロック面８１ａに対応する溝８２ｂがコネクタ収容部８２ａの左側に形成されているコネクタ保持治具８０に対して、ロック面８１ａが右側に来るようにコネクタ８１の向きが設定された場合の使用不可の例を示している。
【０００８】
図６に示す使用不可の例からも明らかなように、従来のコネクタ保持治具では、同一形状のコネクタであっても取付向きによってロック面に対応する溝の位置がロック面とは反対側の位置となり、該コネクタを保持できないこととなった。すなわち、従来のコネクタ保持治具は、コネクタの取り付ける向きが変わるごとに当該取付向きに対応するロック部を有するコネクタ保持治具を起工する必要があり、製造コストが高騰するという問題点があった。
【０００９】
本発明は、上述のような課題を解決するためになされたもので、コネクタを取り付ける向きに拘らず該コネクタを保持することができ、製造コストを低減可能なコネクタ保持治具を提供することを目的とする。
【課題を解決するための手段】
【００１０】
本発明に係るコネクタ保持治具は、上記課題を解決するため、コネクタを右向きに置いたときに占める空間形状と、左向きに置いたときに占める空間形状とを、どちらの向きでもほぼ一致する空間形状を合わせるようにして重畳させた左右対称な合成空間形状であるコネクタ収容空間を有する収容部本体と、前記コネクタ収容空間内に前記コネクタを収容したときに、前記コネクタ収容空間内に生じる空き空間を埋める着脱可能な埋込ピースと、を有する構成である。
【００１１】
この構成により、本発明に係るコネクタ保持治具は、コネクタを右向きに置くか左向きに置くかに拘らずコネクタ収容空間内に収容でき、コネクタの取付向きが変わっても一種類のものを兼用することでコストを低減できる。
【発明の効果】
【００１２】
本発明によれば、コネクタを取り付ける向きに拘らず該コネクタを保持することができ、製造コストを低減可能なコネクタ保持治具を提供することができる。
【図面の簡単な説明】
【００１３】
【図１】本発明の実施の形態に係るコネクタ保持治具の構成を示す斜視図である。
【図２】（ａ）図は本発明の実施の形態に係るコネクタ保持治具の構成を示す上面図であり、（ｂ）図は（ａ）コネクタ収容空間の形状を説明するためのコネクタが占める空間形状を示す模式図である。
【図３】本発明の実施の形態に係るコネクタ保持治具が保持するコネクタの構成を示す斜視図である。
【図４】本発明の実施の形態に係るコネクタ保持治具の図板上における配置態様を示す斜視図である。
【図５】本発明の実施の形態に係るコネクタ保持治具の使用状態を示す概念図である。
【図６】従来のコネクタ保持治具の使用不可の例を示す斜視図である。
【発明を実施するための形態】
【００１４】
以下、本発明に係るコネクタ保持治具の実施の形態について図面を参照して説明する。
【００１５】
図１および図２は、本発明の実施の形態に係るコネクタ保持治具１を示している。コネクタ保持治具１は、台座部２と、支柱部３と、コネクタ収容部４と、を有している。
【００１６】
台座部２は、外観形状が矩形の例えば樹脂製の成形体からなる台座本体２１に、支柱部３を受け入れる受入部２２、および受入部２２を通る回転軸２３を設けて構成される。
【００１７】
支柱部３は、円筒形状の例えば樹脂製の成形体からなる支柱本体３１に、回転軸２３に対して回動可能に支持された支持板部３２を一体に設けて構成される。支柱部３は、回転軸２３を中心に回動させることで、台座部２に対して立った状態と倒した状態とに動かすことができる。
【００１８】
コネクタ収容部４は、収容部本体４１と、埋込ピース４５とを有する。収容部本体４１は、例えばポリプロピレン等の樹脂成形体からなり、直方体ブロックの上面より、コネクタ６０（図３参照）を収容し保持するためのコネクタ収容空間４２が彫り込まれた形状である。
【００１９】
コネクタ収容空間４２の説明の前提として、まず、コネクタ６０の構成について図３を参照して説明する。図３に示すように、コネクタ６０は、例えばワイヤハーネスＷ１，Ｗ２の末端において、被覆が剥された電線に接続するためのものである。なお、ワイヤハーネスＷ１１，Ｗ１２は、図４に示すワイヤハーネス組立用の図板５０上に、幹線であるワイヤハーネスＷ１からそれぞれ分岐されているものである。
【００２０】
図３に示すように、コネクタ６０は、それぞれが矩形形状を有し、かつ、互いに大きさが異なる大矩形部６１と小矩形部６２とを合わせた外観形状を有している。小矩形部６２は、ロック面６３としての機能を果たす。ロック面６３は、相手側のコネクタに嵌合した後、該相手側のコネクタからの当該コネクタ６０の抜け止めのために設けられている。
【００２１】
次に、コネクタ収容部４の収容部本体４１におけるコネクタ収容空間４２について図２を参照して説明する。コネクタ保持治具１において、コネクタ収容部４の収容部本体４１は、上面から見た場合に図２（ａ）に示す構成である。図２（ａ）に示すように、収容部本体４１の上面には、左右対称の形状を有するコネクタ収容空間４２が設けられている。また、収容部本体４１には、コネクタ収容空間４２から外部側壁へと延設され、ワイヤハーネスＷ１１，Ｗ１２を構成する電線を導入する電線導入部４３が形成されている。
【００２２】
図２（ａ）においては、コネクタ収容部４の収容部本体４１の構成要素として、埋込ピース４５についても便宜的に図示している。埋込ピース４５は、後述するように、コネクタ収容空間４２内にコネクタ６０を収容したときに、コネクタ収容空間４２内に生じる空き空間（図２（ａ）、図５に示す空間形状ＳＰ２に相当。以下、空き空間ＳＰ２と称することもある。）に嵌め込んで該空き空間ＳＰ２を埋めるものであり、該空き空間ＳＰ２に対して着脱可能な構成を有する。
【００２３】
図２（ａ）に示す収容部本体４１におけるコネクタ収容空間４２の形状について図２（ｂ）および（ｃ）を参照して説明する。図２（ｂ）および（ｃ）は、それぞれ、コネクタ６０（図３参照）が左向きおよび右向きのときの当該コネクタ６０が占める空間形状を模式的に示したものである。なお、以下の説明では、コネクタ６０の向きについては、正面から見て小矩形部６２が左側にある向きを左向き、右側にある向きを右向きというものとする。
【００２４】
図２（ｂ）および（ｃ）において、コネクタ６０の大矩形部６１が占める空間形状をＳＰ１、小矩形部６２が占める空間形状をＳＰ２と仮定する。また、コネクタ６０を右向きに置いたときに占める全体の空間形状をＳＰ３（図２（ｃ）参照）、左向きに置いたときに占める全体の空間形状をＳＰ４（図２（ｂ）参照）と仮定する。
【００２５】
上記仮定を前提に説明すると、コネクタ収容部４の収容部本体４１（図２（ａ）参照）において、コネクタ収容空間４２は、コネクタ６０を右向きに置いたときに占める空間形状ＳＰ３（図２（ｃ）参照）と、左向きに置いたときに占める空間形状ＳＰ４（図２（ｂ）参照）とを、どちらの向きでもほぼ一致する空間形状ＳＰ１（図２（ｂ）および（ｃ）参照）を合わせるようにして重畳させた左右対称な合成空間形状を有している。
【００２６】
次に、本実施の形態に係るコネクタ保持治具１の使用態様について説明する。コネクタ保持治具１は、例えば、図４に示すように、ワイヤハーネスＷ１を保持するハーネス保持治具５１ａ，５１ｂ等とともに図板５０上に配置される。
【００２７】
特に、図４では、ワイヤハーネスＷ１から分岐されたワイヤハーネスＷ１１，Ｗ１２の末端に接続されたコネクタ６０ａ，６０ｂにそれぞれ対応してコネクタ保持治具１Ａ，１Ｂが配置されている。コネクタ保持治具１Ａ，１Ｂは、ワイヤハーネスＷ１１，Ｗ１２のそれぞれ末端の電線をそれぞれ対応するコネクタ６０ａ，６０ｂに接続するために用いられる。
【００２８】
図４において、コネクタ６０ａ，６０ｂは、同一品番のものである。一方、図板５０においては、コネクタ６０ａとコネクタ６０ｂの向きに関してはそれぞれ異なる取付向きが設定されている。
【００２９】
次に、コネクタ保持治具１Ａ，１Ｂを用いたコネクタ６０ａ，６０ｂに対する電線の接続作業について図５を参照して説明する。図５（ａ）は、コネクタ保持治具１Ａにおけるコネクタ６０ａの収容態様を示し、図５（ｂ）は、コネクタ保持治具１Ｂにおけるコネクタ６０ａの収容態様を示している。
【００３０】
図５（ａ）に示すように、コネクタ保持治具１Ａにおいては、収容部本体４１のコネクタ収容空間４２内にコネクタ６０ａが右向きに置かれている。すなわち、コネクタ６０ａは、大矩形部６１と小矩形部６２が、収容部本体４１のコネクタ収容空間４２における空間形状ＳＰ１、および空間形状ＳＰ１の右側の空間形状ＳＰ２（図２参照）を塞ぐように嵌め込まれている。
【００３１】
図５（ａ）に示すように、コネクタ収容空間４２内にコネクタ６０ａが右向きで置かれた場合、コネクタ収容空間４２には、コネクタ６０ａが左向きで置かれた場合（図５（ｂ）参照）における小矩形部６２に対応する形状の空き空間ＳＰ２が生じる。
【００３２】
この空き空間ＳＰ２に対しては、収容部本体４１のコネクタ収容空間４２内にコネクタ６０ａを右向きに置くまえに、図５（ａ）に示すように、埋込ピース４５を嵌め込んでおくことができる。これにより、その後、コネクタ収容空間４２内にコネクタ６０ａを右向きで置く（図５（ａ）参照）に際しては、当該空き空間ＳＰ２がない場合と同様の条件下でコネクタ６０ａを右向きでコネクタ収容空間４２内に置くことができる。
【００３３】
一方、図５（ｂ）に示すように、コネクタ保持治具１Ｂにおいては、収容部本体４１のコネクタ収容空間４２内にコネクタ６０ｂが左向きに置かれている。すなわち、コネクタ６０ｂは、大矩形部６１と小矩形部６２が、収容部本体４１のコネクタ収容空間４２における空間形状ＳＰ１および該空間形状ＳＰ１の左側の空間形状ＳＰ２（図２参照）を塞ぐように嵌め込まれている。
【００３４】
図５（ｂ）に示すように、コネクタ収容空間４２内にコネクタ６０ａが左向きで置かれた場合、コネクタ収容空間４２には、コネクタ６０ｂが右向きで置かれた場合（図５（ａ）参照）における小矩形部６２に対応する形状の空き空間ＳＰ２が生じる。
【００３５】
この空き空間ＳＰ２に対しては、収容部本体４１のコネクタ収容空間４２内にコネクタ６０ｂを右向きに置くまえに、図５（ｂ）に示すように、埋込ピース４５を嵌め込んでおくことができる。これにより、その後、コネクタ収容空間４２内にコネクタ６０ｂを左向きで置く（図５（ｂ）参照）に際しては、当該空き空間ＳＰ２がない場合と同様の条件下でコネクタ６０ｂを左向きでコネクタ収容空間４２内に置くことができる。
【００３６】
図５を参照した説明からも分かるように、図板５０を用いたワイヤハーネスＷ１の製造工程（図４参照）において、コネクタ保持治具１Ａでは、コネクタ収容空間４２内にコネクタ６０ａを右向きに置いてワイヤハーネスＷ１１を構成する電線の接続作業を行うことができる。他方、コネクタ保持治具１Ｂでは、コネクタ収容空間４２内にコネクタ６０ｂを左向きに置いてワイヤハーネスＷ１２を構成する電線の接続作業を行うことができる。
【００３７】
本実施の形態において、コネクタ保持治具１Ａ，１Ｂは同一のものであり、コネクタ６０ａ，６０ｂ同士も同じものである。言い換えると、本実施の形態に係るコネクタ保持治具１では、コネクタ６０を異なる向きで取り付けたワイヤハーネスＷ１を製造する場合にも、図板５０上で指定されたコネクタ６０の向きごとにコネクタ保持治具１を用意する必要はなく、一種類のコネクタ保持治具１を兼用することができる。
【００３８】
このように、本実施の形態に係るコネクタ保持治具１は、コネクタ６０を右向きに置いたときに占める空間形状ＳＰ３と、左向きに置いたときに占める空間形状ＳＰ４とを、どちらの向きでもほぼ一致する空間形状ＳＰ１を合わせるようにして重畳させた左右対称な合成空間形状であるコネクタ収容空間４２を有する収容部本体４１と、コネクタ収容空間４２内にコネクタ６０を収容したときに、コネクタ収容空間４２内に生じる空き空間ＳＰ２を埋める着脱可能な埋込ピース４５と、を有する構成である。
【００３９】
この構成により、本実施の形態に係るコネクタ保持治具１は、コネクタ６０を右向きに置くか左向きに置くかに拘らずコネクタ収容空間４２内に収容でき、コネクタ６０の取付向きが変わっても、つまり、図板５０に設定されるコネクタ６０のコネクタロックの向き（ロック面６３の向き）が変更されても一種類のコネクタ保持治具１を兼用することができ、従来のように、コネクタ６０の取付向きごとにコネクタ保持用の治具を用意する必要がない。
【００４０】
しかも、本実施の形態に係るコネクタ保持治具１は、コネクタ６０をコネクタ収容空間４２内に収容した際に生じる空き空間を事前に埋込ピース４５で塞ぐことができ、その後のコネクタ６０の嵌め込みが容易となる。
【００４１】
よって、本実施の形態では、コネクタ６０を取り付ける向きに拘らず該コネクタ６０を保持することができ、製造コストを低減可能なコネクタ保持治具１を提供することができる。
【００４２】
また、本発明は、上記実施の形態に限定されるものでなく、特許請求の範囲の技術的範囲には、発明の要旨を逸脱しない範囲内で種々、設計変更した形態が含まれる。例えば、上記実施の形態において、コネクタ保持治具１は、ワイヤハーネスＷ１を製造するための図板５０上に設置することを前提に、台座部２、支柱部３およびコネクタ収容部４を有する構成について例示しているが、図板５０上に設置して用いる用途に限らず、あるいは、台座部２、支柱部３を有する構成に限定されず、適宜変更した形態が含まれる。
【００４３】
以上説明したように、本発明に係るコネクタ保持治具は、コネクタを取り付ける向きに拘らず該コネクタを保持することができ、製造コストを低減可能であるという効果を有し、ワイヤハーネス製造工程等で用いるコネクタ保持治具全般に有用である。
【符号の説明】
【００４４】
１，１Ａ，１Ｂ  コネクタ保持治具
２  台座部
３  支柱部
４  コネクタ収容部
４１  収容部本体
４２  コネクタ収容空間
４５  埋込ピース
６０，６０ａ，６０ｂ  コネクタ
ＳＰ１  コネクタが左右どちらの向きでもほぼ一致する空間形状
ＳＰ２  小矩形部に対応する空間形状（空き空間）
ＳＰ３  コネクタを右向きに置いたときに占める空間形状
ＳＰ４  コネクタを左向きに置いたときに占める空間形状
【図１】
2017147193.tif 000003
【図２】
2017147193.tif 000004
【図３】
2017147193.tif 000005
【図４】
2017147193.tif 000006
【図５】
2017147193.tif 000007
【図６】
2017147193.tif 000008